(57)【要約】【課題】管端面の受け止めと、前後方向からの送り配管とを行えるネジ無し電線管用接続具を提供する。【解決手段】円筒形接続具本体（Ｃ）の中間部に、その内周面から一定深さ（Ｇ３）だけ陥没するセンターパッキング受け入れ凹周溝（２０）を切り欠くと共に、そのパッキング受け入れ凹周溝（２０）の切り欠き深さ（Ｇ３）よりも薄肉なゴムからリング状をなし且つその内周面の中央部から電線管受け止めリップ（２２）が上記接続具本体（Ｃ）の内周面よりも大きく内向きのほぼ直角に張り出すこととなる断面Ｔ字形のセンターパッキング（２１）を、その接続具本体（Ｃ）の上記パッキング受け入れ凹周溝（２０）の内部に嵌め付けた。【選択図】図１
0003176308.tif 000002
【実用新案登録請求の範囲】
【請求項１】
ネジ無し電線管との対応的なほぼ円筒形をなす接続具本体の中間部に、その内周面から一定深さだけ陥没するセンターパッキング受け入れ凹周溝を切り欠いて、
上記センターパッキング受け入れ凹周溝の内部へ、その切り欠き深さよりも薄肉なゴムから成るリング状のセンターパッキングを嵌め付けると共に、
上記センターパッキングを、その内周面の中央部から電線管受け止めリップが接続具本体の内周面よりも大きくほぼ直角に張り出し起立する断面Ｔ字形に造形することにより、
ネジ無し電線管がその接続具本体へ前後何れの方向から挿入されても、その管端面を上記センターパッキングの電線管受け止めリップが受け止め、更にその受け止め力よりも強く押圧されたときには、上記電線管受け止めリップがそのセンターパッキング受け入れ凹周溝の内部へ逃げ込む如く伏倒して、上記電線管の送り配管を許すこともできるように定めたことを特徴とするネジ無し電線管用接続具。
【考案の詳細な説明】
【技術分野】
【０００１】
本考案はケーブル配線上使用されるネジ無し電線管（ケーブル保護用鋼管）の接続具に関する。
【背景技術】
【０００２】
本考案の出願人はこの種ネジ無し電線管用接続具（カップリング）におけるネジ無し電線管の管端面を受け止めたり、その電線管の送り配管を許したりできる構造について、既に特許第３６７９０４９号（特許文献１）を取得している。
【０００３】
この特許文献１に開示されているセンター仕切りパッキング（２８）の内周面から斜め内向きに張り出す断面楔型の電線管受け止めリップ（２９）は、その傾斜姿勢状態に順応する挿入方向（Ｆ）からカップリング本体（Ｃ）へ電線管（Ｐ）を挿入した時には、伏倒作用することにより、そのカップリング本体（Ｃ）に対する電線管（Ｐ）の送り配管を許す一方、逆な方向（Ｒ）からカップリング本体（Ｃ）へ電線管（Ｐ）を挿入した時には、その管端面を貫通不能に受け止めるように定められており、その結果図２０、２１に記載されたセンター仕切りボルト（５）のような煩らわしい進退操作が不要となり、カップリング本体からの不慮な抜け落ちや雨水の浸入などを招来しない利点がある。
【先行技術文献】
【特許文献】
【０００４】
【特許文献１】特許第３６７９０４９号公報
【考案の概要】
【考案が解決しようとする課題】
【０００５】
ところが、上記特許文献１に開示されているセンター仕切りパッキング（２８）の構成では、そのカップリング本体（Ｃ）の筒芯線（Ｏ−Ｏ）と鋭角（β）に交叉する断面楔型の電線管受け止めリップ（２９）が、一定量（Ｚ）だけ斜め内向きに張り出しており、その傾斜姿勢状態に順応する挿入方向（Ｆ）から電線管（Ｐ）をカップリング本体（Ｃ）へ挿入しなければ、その電線管受け止めリップ（２９）が伏倒作用せず、電線管（Ｐ）の送り配管を許さないため、その接続配管作業上未だ不便であり、特に電線管（Ｐ）の挿入方向（Ｆ）を示す案内矢印（３０）を、カップリング本体（Ｃ）の外周面へ目視できる状態に付与しておかなければならない。
【０００６】
又、その案内矢印（３０）と正しく対応合致し得る方向性として、上記センター仕切りパッキング（２８）をそのカップリング本体（Ｃ）のセンター仕切りパッキング受け入れ凹溝（２７）へ嵌め付けなければならず、その組立作業上も煩らわしく不便である。
【課題を解決するための手段】
【０００７】
本考案はこのような課題の改良を目的としており、その目的を達成するために、ネジ無し電線管との対応的なほぼ円筒形をなす接続具本体の中間部に、その内周面から一定深さだけ陥没するセンターパッキング受け入れ凹周溝を切り欠いて、
【０００８】
上記センターパッキング受け入れ凹周溝の内部へ、その切り欠き深さよりも薄肉なゴムから成るリング状のセンターパッキングを嵌め付けると共に、
【０００９】
上記センターパッキングを、その内周面の中央部から電線管受け止めリップが接続具本体の内周面よりも大きくほぼ直角に張り出し起立する断面Ｔ字形に造形することにより、
【００１０】
ネジ無し電線管がその接続具本体へ前後何れの方向から挿入されても、その管端面を上記センターパッキングの電線管受け止めリップが受け止め、更にその受け止め力よりも強く押圧されたときには、上記電線管受け止めリップがそのセンターパッキング受け入れ凹周溝の内部へ逃げ込む如く伏倒して、上記電線管の送り配管を許すこともできるように定めたことを特徴とする。
【考案の効果】
【００１１】
請求項１の上記構成によれば、ネジ無し電線管を接続具本体の内部へ前後何れの方向から挿入しても、その管端面がセンターパッキングの電線管受け止めリップに自づと衝当して、貫通不能に受け止められるばかりでなく、更にその受け止め力に抗して強く押し込み操作すれば、上記センターパッキングの電線管受け止めリップが接続具本体のセンターパッキング受け入れ凹周溝内へ逃げ込み伏倒して、その電線管の送り配管を許すことになるため、接続配管作業を便利良く行え、特許文献１の上記目視可能な案内矢印を接続具（カップリング）本体へ特別に付与する必要はない。
【００１２】
又、センターパッキングは断面ほぼＴ字形として、その内周面の中央部から電線管受け止めリップが内向きのほぼ直角に張り出し起立しているため、これを接続具本体のセンターパッキング受け入れ凹周溝へ嵌め付け作業するに当っても、その方向性を区別する必要がなく、その意味でも著しく便利であり、最大限の量産効果を得られる。
【図面の簡単な説明】
【００１３】
【図１】本考案に係るネジ無し電線管用接続具の組立状態を示す側断面図である。
【図２】図１の２−２線断面図である。
【図３】センターパッキングを抽出して示す斜面図である。
【図４】図３の正面図である。
【図５】図４の平面図である。
【図６】同じく図４の６−６線断面図である。
【図７】センターパッキングの電線管受け止めリップがネジ無し電線管の管端面を受け止めた作用状態の側断面図である。
【図８】接続具本体に対する前方からの送り配管作用状態を示す側断面図である。
【図９】同じく接続具本体に対する後方からの送り配管作用状態を示す側断面図である。
【考案を実施するための形態】
【００１４】
以下、図面に基いて本考案の実施形態を説明する。数値は一例となる図示仕様の実寸である。図１、２はその本考案に係るネジ無し電線管用接続具（カップリング）の組立状態を示しており、（Ｐ）はネジ無し電線管（ケーブル保護用鋼管）であって、一定の外径（約５９mm）と厚み（約２mm）を有する。（Ｃ）は亜鉛合金ダイカスト製品の接続具（カップリング）本体であって、一定長さ（Ｌ）（約１０７mm）と上記電線管（Ｐ）の受け入れ可能な一定口径（Ｄ）（約６０．５mm）を備えたほぼ円筒形に造形されている。
【００１５】
（１１）（１１）（１１）（１１）は上記接続具本体（Ｃ）の胴部から一定高さだけ外向き連続的に隆起する複数（図例では合計４個）の凸座であって、平面視の円形を呈しており、その中心からは接続具本体（Ｃ）の求心方向へネジ孔（１２）（１２）（１２）（１２）が貫通形成されている。
【００１６】
（１３）（１３）（１３）（１３）はそのネジ孔（１２）（１２）（１２）（１２）へ接続具本体（Ｃ）の外周方向から進退自在に植え込み螺入された電線管用押えボルトであり、ネジ無し電線管（Ｐ）の外周面を押え付け固定することになる。（１４）（１４）（１４）（１４）は押えボルト（１３）（１３）（１３）（１３）の頭部と上記凸座（１１）（１１）（１１）（１１）との上下相互間に介挿された防水用のゴム製平パッキングである。
【００１７】
上記接続具本体（Ｃ）の前後両端部は胴部の口径（Ｄ）よりも若干大きな口径の拡開エッジ（１５）（１５）として、その接続具本体（Ｃ）の内周面から一定深さ（Ｇ１）（約２mm）だけ切り欠かれている。（１６）（１６）はその拡開エッジ（１５）（１５）と隣接する奥部に位置しつつ、やはり接続具本体（Ｃ）の内周面から上記拡開エッジ（１５）（１５）よりも深く陥没する一定の深さ（Ｇ２）（約３mm）と幅（Ｗ１）（約５mm）を有する連続階段状態に切り欠かれたエンドパッキング受け入れ凹周溝である。
【００１８】
（１７）（１７）は上記接続具本体（Ｃ）の前後方向（Ｆ）（Ｒ）から拡開エッジ（１５）（１５）を通じて、エンドパッキング受け入れ凹周溝（１６）（１６）の内部へ嵌め付けられることにより、その接続具本体（Ｃ）の前後両端部を被覆・防水するリング状のゴム製エンドパッキングであって、その上記接続具本体（Ｃ）の口径（Ｄ）とほぼ等しい口径を有する内周面からは、先端側に位置する第１リップ（１８）（１８）とその内側に並列する第２リップ（１９）（１９）とが、何れも内向きのほぼ直角に張り出し起立されている。
【００１９】
その場合、第２リップ（１９）（１９）における接続具本体（Ｃ）の内周面から張り出し起立する一定高さ（Ｈ２）は約３mmとして、第１リップ（１８）（１８）における同様な一定高さ（Ｈ１）（約１．５mm）よりも高く、前後何れの方向（Ｆ）（Ｒ）にも抵抗少なく伏倒作用して、その何れの方向（Ｆ）（Ｒ）からでもネジ無し電線管（Ｐ）を接続具本体（Ｃ）へ受け入れることができるようになっている。これに比して、第１リップ（１８）（１８）は伏倒し難い抵抗力により、電線管（Ｐ）の外周面に圧着して、安定な防水効果を保つ。
【００２０】
更に、（２０）は上記接続具本体（Ｃ）における胴部の中間に位置しつつ、その内周面から一定の深さ（Ｇ３）（約３mm）と幅（Ｗ２）（約１０mm）だけ陥没する状態に切り欠かれたセンターパッキング受け入れ凹周溝であり、その内部に図３〜６のようなリング状のセンターパッキング（２１）が嵌め付けられている。
【００２１】
センターパッキング（２１）はその受け入れ凹周溝（２０）の切り欠き深さ（Ｇ３）よりも言わば浅く薄肉（厚み：約１．５mm）なゴムから成り、その口径（ｄ）（約６３．５mm）が上記接続具本体（Ｃ）の口径（Ｄ）（約６０．５mm）よりも若干大きく寸法化されている。しかも、センターパッキング（２１）はその内周面の中央部から一定高さ（Ｈ３）（約３mm）だけ内向きのほぼ直角に張り出し起立する電線管受け止めリップ（２２）を具備することにより、断面ほぼＴ字形に造形されている。
【００２２】
そのセンターパッキング（２１）の電線管受け止めリップ（２２）は上記接続具本体（Ｃ）の内周面よりも一定高さ（Ｈ４）（約１．５mm）だけ内向きに高く張り出し起立しており、そのため図７のように接続具本体（Ｃ）へ、前後何れの方向（Ｆ）（Ｒ）からネジ無し電線管（Ｐ）が挿入されても、その電線管（Ｐ）の管端面を受け止めることができるようになっているが、更にその受け止め力に抗して、これよりも強く電線管（Ｐ）が押し込み操作されたときには、上記電線管受け止めリップ（２２）が図８、９のように、そのセンターパッキング受け入れ凹周溝（２０）の内部へ逃げ込む如く伏倒作用して、接続具本体（Ｃ）に対する電線管（Ｐ）の相対的な送り配管を許すこともできるようになっている。
【００２３】
（２３）は上記センターパッキング（２１）の口径（ｄ）と接続具本体（Ｃ）の口径（Ｄ）との大小差（Ｓ）（約１．５mm）だけ陥没した段差部を示しており、この内部へ上記電線管受け止めリップ（２２）が図８、９のように逃げ込み伏倒することとなる。
【００２４】
本考案のネジ無し電線管用接続具は上記した構成を有するため、その電線管（Ｐ）を接続具本体（Ｃ）の内部へ、図８、９のように前後何れの方向（Ｆ）（Ｒ）からでも相対的に送り配管することができ、その配管工事の最終時点において両電線管（Ｐ）の管端面同士を図７のような突き合わせ接続配管状態に固定維持し得るのであり、併せてその管端面での防水効果も得られる。
【符号の説明】
【００２５】
（１１）・凸座
（１２）・ネジ孔
（１３）・押えボルト
（１４）・平パッキング
（１５）・拡開エッジ
（１６）・エンドパッキング受け入れ凹周溝
（１７）・エンドパッキング
（１８）・第１リップ
（１９）・第２リップ
（２０）・センターパッキング受け入れ凹周溝
（２１）・センターパッキング
（２２）・電線管受け止めリップ
（２３）・段差部
（Ｃ）・接続具本体
（Ｐ）・ネジ無し電線管
【図１】
0003176308.tif 000003
【図２】
0003176308.tif 000004
【図３】
0003176308.tif 000005
【図４】
0003176308.tif 000006
【図５】
0003176308.tif 000007
【図６】
0003176308.tif 000008
【図７】
0003176308.tif 000009
【図８】
0003176308.tif 000010
【図９】
0003176308.tif 000011